(57)【要約】【課題】駆動手段への負荷を増大させることなくギヤとびを防止可能な遊技機を提供する。【解決手段】複数のプーリ５１，５２と、それら複数のプーリ５１，５２に巻き掛けられる無端状のギヤベルト５４とを有する遊技機で、ギヤベルト５４のプーリ５１に対する半径方向への移動を規制するベルト規制手段５８を、例えばプーリ５１の回転軸６６と平行な軸廻りに回転自在な円形回転体で構成し、プーリ５１に対するギヤベルト５４の巻き掛け範囲内の所定箇所で、ベルト規制手段５８の外縁部をギヤベルト５４の外周側に当接又は近接させる。【選択図】図４
2018042599.tif 000002
【特許請求の範囲】
【請求項１】
複数のプーリと、
それら複数のプーリに巻き掛けられる無端状のギヤベルトとを有する
遊技機において、
前記ギヤベルトの前記プーリに対する半径方向への移動を規制するベルト規制手段を設けた
ことを特徴とする遊技機。
【請求項２】
前記ベルト規制手段を、前記プーリに対する前記ギヤベルトの巻き掛け範囲内の所定箇所で前記ギヤベルトの外周側に当接又は近接させた
ことを特徴とする請求項１に記載の遊技機。
【請求項３】
前記ベルト規制手段を、前記プーリの回転軸と平行な軸廻りに回転自在な円形回転体で構成すると共に、その外縁部を前記ギヤベルトの外周側に当接又は近接させた
ことを特徴とする請求項２に記載の遊技機。
【請求項４】
前記ギヤベルトの外周側と前記ベルト規制手段との隙間を、前記プーリ側のギヤに対する前記ギヤベルトの噛合深さよりも小さくした
ことを特徴とする請求項１〜３の何れかに記載の遊技機。
【請求項５】
前記複数のプーリは、駆動手段からの駆動により回転する駆動プーリと、前記ギヤベルトの回転により従動する従動プーリとを含み、
少なくとも前記駆動プーリに対応して前記ベルト規制手段を設けた
ことを特徴とする請求項１〜４の何れかに記載の遊技機。
【請求項６】
前記複数のプーリは、前記ギヤベルトの張緩方向に移動可能な所定プーリを含み、
前記ギヤベルトが張った状態で前記所定プーリの張緩方向における緩み側への移動を規制するプーリ規制手段を備えた
ことを特徴とする請求項１〜５の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機には、より魅力的な演出を行うべく、キャラクター等が描かれた可動体が機械的に動作する可動演出手段を、例えば液晶表示手段等の画像演出手段と共に搭載したものが多くなっている。このような可動演出手段では、可動体の動作範囲、動作方向、重量等に応じた駆動機構が採用されているが、例えば可動体を大きく平行移動させる必要があるような場合には広くベルト駆動機構が用いられている。
このベルト駆動機構は、例えば駆動プーリ、従動プーリを含む複数のプーリと、それら複数のプーリに巻き掛けられる無端状のギヤベルトとを備えており、そのギヤベルトの一部に可動体が連結されている場合が多い。
このようなベルト駆動機構においては、特許文献１に記載のように、プーリに対してギヤベルトが滑る、いわゆるギヤとびを防止するべく、例えば従動プーリをベルト張り側に弾性付勢することによりギヤベルトのテンションを高く保持するようにしたものが知られている。
【先行技術文献】
【特許文献】
【０００３】
【特許文献１】特開２００７−１１７５４３号公報
【発明の概要】
【発明が解決しようとする課題】
【０００４】
上記のように、従動プーリをベルト張り側に弾性付勢する場合、その付勢力が大きいほど、ギヤとびの可能性を小さくできるが、一方で駆動手段への負荷は大きくなる等の問題がある。特に大重量の可動体を上下方向に駆動する場合などは、上記のような従来の方法でギヤとびを防止することは困難である。
本発明は上記事情に鑑みてなされたものであり、駆動手段への負荷を増大させることなくギヤとびを防止可能な遊技機を提供することを目的とする。
【課題を解決するための手段】
【０００５】
本発明は、複数のプーリ５１，５２と、それら複数のプーリ５１，５２に巻き掛けられる無端状のギヤベルト５４とを有する遊技機において、前記ギヤベルト５４の前記プーリ５１に対する半径方向への移動を規制するベルト規制手段５８，５８′を設けたものである。
また、前記ベルト規制手段５８，５８′を、プーリ５１に対する前記ギヤベルト５４の巻き掛け範囲内の所定箇所で前記ギヤベルト５４の外周側に当接又は近接させてもよい。この場合、前記ベルト規制手段５８を、前記プーリ５１の回転軸６６と平行な軸廻りに回転自在な円形回転体で構成すると共に、その外縁部を前記ギヤベルト５４の外周側に当接又は近接させてもよい。
また、前記ギヤベルト５４の外周側と前記ベルト規制手段５８，５８′との隙間を、前記プーリ５１側のギヤに対する前記ギヤベルト５４の噛合深さよりも小さくしてもよい。
また、前記複数のプーリ５１，５２は、駆動手段５３からの駆動により回転する駆動プーリ５１と、前記ギヤベルト５４の回転により従動する従動プーリ５２とを含み、少なくとも前記駆動プーリ５１に対応して前記ベルト規制手段５８，５８′を設けてもよい。
また、前記複数のプーリ５１，５２は、前記ギヤベルト５４の張緩方向に移動可能な所定プーリ５２を含み、前記ギヤベルト５４が張った状態で前記所定プーリ５２の張緩方向における緩み側への移動を規制するプーリ規制手段５６を備えてもよい。
【発明の効果】
【０００６】
本発明によれば、駆動手段への負荷を増大させることなくギヤとびを防止可能である。
【図面の簡単な説明】
【０００７】
【図１】本発明の第１の実施形態に係るパチンコ機の全体正面図である。
【図２】同パチンコ機の遊技盤の平面断面図である。
【図３】同パチンコ機の可動演出手段の正面図である。
【図４】同パチンコ機の昇降駆動手段の正面断面図である。
【図５】同パチンコ機の昇降駆動手段の平面断面図である。
【図６】同パチンコ機の昇降駆動手段の側面断面図である。
【図７】同パチンコ機の昇降駆動手段の分解斜視図である。
【図８】同パチンコ機の昇降駆動手段における駆動プーリ周辺の分解斜視図である。
【図９】同パチンコ機の昇降駆動手段における従動プーリ周辺の分解斜視図である。
【図１０】同パチンコ機の駆動ギヤと駆動シャフトとの分解斜視図である。
【図１１】同パチンコ機の昇降駆動手段における駆動ギヤ周辺の側面断面図である。
【図１２】同パチンコ機の駆動ギヤと駆動シャフトとの結合部分の断面図である。
【図１３】同パチンコ機のベルト規制手段によるベルト規制動作の説明図である。
【図１４】本発明の第２の実施形態に係るパチンコ機の昇降駆動手段の正面断面図である。
【図１５】本発明の第３の実施形態に係るパチンコ機の昇降駆動手段の正面断面図である。
【図１６】本発明の第４の実施形態に係るパチンコ機の駆動ギヤと駆動シャフトとの分解斜視図である。
【図１７】同パチンコ機の駆動ギヤと駆動シャフトとの結合部分の断面図である。
【図１８】本発明の第５の実施形態に係るパチンコ機の駆動ギヤと駆動シャフトとの分解斜視図である。
【図１９】同パチンコ機の駆動ギヤと駆動シャフトとの結合部分の断面図である。
【図２０】本発明の第６の実施形態に係るパチンコ機の駆動ギヤと駆動シャフトとの結合部分の側面断面図である。
【発明を実施するための最良の形態】
【０００８】
以下、本発明の実施形態を図面に基づいて詳述する。図１〜図１３は本発明をパチンコ機に採用した第１の実施形態を例示している。図１において、遊技機本体１は、矩形状の外枠２と、この外枠２の前側に左右一側、例えば左側のヒンジ３により開閉自在に枢着された前枠４とを備えている。前枠４の前側には、遊技盤５等が上部側に、発射手段６等が下部側にそれぞれ配置され、また遊技盤５等の前側に対応してガラス扉７が、発射手段６等の前側に対応して前面板８がそれぞれヒンジ３と同じ側のヒンジ９により開閉自在に枢支されている。なお、ガラス扉７と前面板８とを一つの扉体として一体に開閉可能としてもよい。
【０００９】
前面板８の前側には、払い出し手段（図示省略）から払い出された遊技球を貯留して発射手段６に供給する上皿１０が上部側に配置され、またその上皿１０の下側には、例えば上皿１０が満杯のときにその余剰球を貯留する下皿１１が左端側に、発射手段６を作動させるための発射ハンドル１２が右端側に夫々設けられている。更に、例えば上皿１０等を前側から覆う上皿カバー１３上には演出ボタン１４等が配置されている。
【００１０】
遊技盤５の前面側には、発射手段６から発射された遊技球を案内するガイドレール１５が環状に装着されると共に、そのガイドレール１５の内側の遊技領域５ａに、中央表示ユニット１６、普通図柄始動手段１７、特別図柄始動手段１８、大入賞手段１９、普通入賞手段２０等の各種遊技部品が配置されている。
【００１１】
中央表示ユニット１６は、図１，図２に示すように、遊技盤５の前側に着脱自在に装着される前飾り体２１と、この前飾り体２１に対応して遊技盤５の裏側に着脱自在に装着される裏保持体２２とを備え、遊技領域５ａの略中央に配置されており、例えば前飾り体２１に普通図柄表示手段２３、特別図柄表示手段２４等が、裏保持体２２に液晶式その他の画像表示手段２５、可動演出手段２６等が夫々設けられている。なお、中央表示ユニット１６は前飾り体２１と裏保持体２２とを一体に結合して遊技盤５に前側から装着してもよい。
【００１２】
前飾り体２１は、裏保持体２２側の画像表示手段２５の周囲を前側から被うもので、画像表示手段２５に対応する開口状の表示窓３１を備えており、この表示窓３１の周辺部の所定位置に普通図柄表示手段２３、特別図柄表示手段２４等が配置されている。また、例えば前飾り体２１の下部前側には、前飾り体２１の側部等に設けられたワープ入口３２に入球した遊技球を自由に転動させた後、左右方向略中央の中央落下部３３又はそれ以外から前側に落下させるステージ３４が設けられている。なお前飾り体２１は、その周囲に鍔状の盤面装着部２１ａを備えており、後部側を遊技盤５の装着孔３５に前側から嵌合させ、盤面装着部２１ａを遊技盤５の前面側に密着させた状態で、ネジ止め、圧入等により遊技盤５に対して着脱自在に固定されている。
【００１３】
普通図柄表示手段２３は、普通図柄を変動表示するためのもので、複数個の普通図柄（例えば「○」「×」の２種類）に対応する複数個の発光体（例えばＬＥＤ）を備え、通過ゲート等よりなる普通図柄始動手段１７が遊技球を検出することに基づいてそれら複数の発光体が所定順序で発光するように点滅して、普通図柄始動手段１７による遊技球検出時に取得された普通乱数情報に含まれる当たり判定乱数値が予め定められた当たり判定値と一致する場合には当たり態様（所定態様）に対応する例えば「○」側の発光体が点灯し、それ以外の場合には外れ態様に対応する例えば「×」側の発光体が点灯して停止する。
【００１４】
普通図柄始動手段１７による遊技球検出時に取得された普通乱数情報は、予め定められた上限保留個数、例えば４個を限度として保留記憶され、普通図柄表示手段２３による図柄変動が開始される毎に順次消化される。
【００１５】
特別図柄始動手段１８は、特別図柄表示手段２４による図柄変動を開始させるためのもので、例えば上下２つの特別始動口１８ａ，１８ｂと、下特別始動口１８ｂを開閉する開閉手段３６と、特別始動口１８ａ，１８ｂに入賞した遊技球を夫々検出する遊技球検出手段（図示省略）とを備え、例えば中央表示ユニット１６の下側に配置されている。
【００１６】
上特別始動口１８ａは開閉手段等を有しない非開閉式入賞手段で、例えばステージ３４の中央落下部３３に対応してその下側に上向き開口状に配置されている。下特別始動口１８ｂは、開閉手段３６により遊技球が入賞可能な開状態と入賞不可能（又は開状態よりも入賞困難）な閉状態とに切り換え可能な開閉式入賞手段で、普通図柄表示手段２３の変動後の停止図柄が当たり態様となった場合に発生する普通利益状態において、開閉手段３６が所定時間閉状態から開状態に変化するように構成されている。
【００１７】
特別図柄表示手段２４は、特別図柄を変動表示するためのもので、１個又は複数個、例えば１個の特別図柄を変動表示可能な７セグメント式等の表示手段により構成されており、特別図柄始動手段１８が遊技球を検出すること、即ち上下２つの特別始動口１８ａ，１８ｂの何れかに遊技球が入賞することを条件に特別図柄を所定時間変動表示して、特別始動口１８ａ，１８ｂへの入賞時に取得された特別乱数情報に含まれる大当たり判定乱数値が予め定められた大当たり判定値と一致する場合には大当たり態様（特定態様）で、それ以外の場合には外れ態様で停止するようになっている。
【００１８】
特別図柄表示手段２４の変動後の停止図柄が大当たり態様となった場合には特別利益状態が発生し、大入賞手段１９の開閉板３７が所定の開放パターンに従って前側に開放し、その上に落下した遊技球を内部へと入賞させるようになっている。
【００１９】
中央表示ユニット１６の裏保持体２２は、画像表示手段２５、可動演出手段２６等を遊技盤５の裏側で保持するためのもので、図２等に示すように前側が開放した略箱形に形成されており、遊技盤５の装着孔３５を後側から覆うように遊技盤５の裏面側にねじ止め等により着脱自在に装着されている。
【００２０】
画像表示手段２５は、特別図柄表示手段２４による特別図柄の変動と同期して変動表示される演出図柄、その他の各種演出画像を遊技状態に応じて表示するもので、前飾り体２１側の表示窓３１の後側に対応するように、裏保持体２２の裏板部２２ａの略中央に設けられた矩形開口状の装着窓３８の後側に着脱自在に装着されている。演出図柄は複数種類の変動パターンに従って変動した後、例えば特別図柄が大当たり態様となる場合には「７・７・７」等の大当たり演出態様で停止し、特別図柄が外れ態様となる場合には例えば「４・５・６」等の外れ演出態様で停止する。演出図柄の変動パターンには、画像表示手段２５による画像演出を音声出力、電飾発光と共に行うものの他、可動演出手段２６による可動演出を伴うもの、遊技者に演出ボタン１４の操作を要求するボタン演出を伴うもの等が含まれている。
【００２１】
可動演出手段２６は、図１〜図３等に示すように、例えば画像表示手段２５よりも前側に配置される可動体４１と、この可動体４１を例えば上下方向に駆動する昇降駆動手段４２とを備えている。可動体４１は、可動演出体４３と、この可動演出体４３をその後側で支持する可動支持体４４とを備え、その可動支持体４４が昇降駆動手段４２によって昇降駆動されるようになっている。可動演出体４３は、例えば飛行機の正面形状を模した立体形状に形成されている。
【００２２】
可動支持体４４は、例えば左右方向細長状に形成され、画像表示手段２５の前面側に沿って配置されており、その左右両端側が、画像表示手段２５の左右両側に配置された一対の昇降駆動手段４２，４２により、駆動連結体４５を介して夫々昇降可能に支持されている。可動支持体４４の両端側と駆動連結体４５とは例えば前後方向の枢軸４６により回転可能に連結され、またそれら左右の枢軸４６のうちの少なくとも一方は可動支持体４４側又は駆動連結体４５側に設けられた長孔４７に沿って左右方向に移動可能であり、これによって可動支持体４４は左右の昇降駆動手段４２，４２による非対称な駆動動作にも追従可能となっている。
【００２３】
昇降駆動手段４２は、例えば画像表示手段２５の左右両縁部に沿って前飾り体２１と裏保持体２２との間に配置されており、図２〜図９等に示すように、画像表示手段２５に対する上下一方側、例えば上部側に配置される駆動プーリ５１と、画像表示手段２５に対する上下一方側、例えば下部側に配置される従動プーリ５２と、駆動プーリ５１を回転駆動するステッピングモータ等よりなる駆動手段５３と、駆動プーリ５１と従動プーリ５２とに巻き掛けられ且つその一部に駆動連結体４５が固定される無端状のギヤベルト５４と、従動プーリ５２をギヤベルト５４の張緩方向、即ち上下方向に移動可能な状態で支持するスライド支持手段５５と、ギヤベルト５４が張った状態で従動プーリ５２の張緩方向における緩み側、即ち上側への移動を解除可能に規制するスペーサ５６と、駆動連結体４５を上下方向に案内する例えば２つの昇降ガイド部５７ａ，５７ｂと、駆動プーリ５１に対するギヤベルト５４の滑り（いわゆるギヤとび）を防止するためのベルト規制手段５８とを備え、フレーム５９を介して例えば裏保持体２２の裏板部２２ａに着脱自在に装着されている。なお、昇降駆動手段４２，４２は略左右対称に形成されている。
【００２４】
フレーム５９は例えば合成樹脂製で、遊技盤５と略平行な縦長状の前面板６１と、その前面板６１の左右両縁部から後向きに延設された一対の側板６２，６２とを一体に備え、側板６２，６２の後端部を例えば裏板部２２ａの前面側に当接させた状態で裏保持体２２に着脱自在に固定されている。前面板６１は、図３，図８，図９等に示すように、上部側の上部前面板６１ａと、下部側の下部前面板６１ｂと、それら上部前面板６１ａ、下部前面板６１ｂよりも後側に配置された中間前面板６１ｃとで構成されている。
【００２５】
上部前面板６１ａの下端部と中間前面板６１ｃの上端部との間には、図８等に示すように隙間６３が形成されており、下部前面板６１ｂの上端部と中間前面板６１ｃの下端部との間には、図９等に示すように略水平な底壁６４が一体に形成されている。
【００２６】
駆動プーリ５１は、図４〜図８等に示すように、前後方向の回転軸６６廻りに回転可能な状態で例えば上部前面板６１ａの後側に配置されており、ギヤベルト５４が巻き掛けられるベルト巻き掛け部６７と、駆動ギヤ６８が噛合する被駆動ギヤ部６９と、回転軸６６が回転自在に挿通されるベアリング部７０とを備えている。
【００２７】
ベルト巻き掛け部６７には、ギヤベルト５４の内周側に設けられた被係合歯５４ａに対応する係合歯６７ａが外周側に形成されている。またベルト巻き掛け部６７の軸方向両側には、ベルト巻き掛け部６７よりも大径に形成された一対のガイド板７１ａ，７１ｂが設けられており、ギヤベルト５４をベルト巻き掛け部６７に沿って案内するようになっている。なお駆動プーリ５１は、図６〜図８等に示すように、例えばベルト巻き掛け部６７、被駆動ギヤ部６９及びそれらの間のガイド板７１ｂが一体に形成され、それらとガイド板７１ａとの間にベアリング部７０を収容した状態で回転軸６６により回転自在に支持されている。
【００２８】
駆動手段５３は、図２〜図５等に示すように、駆動シャフト７２を上部前面板６１ａの後側に突出させた状態で例えば上部前面板６１ａの前面側に装着されている。駆動シャフト７２には駆動ギヤ６８が固定されており、この駆動ギヤ６８が駆動プーリ５１の被駆動ギヤ部６９に噛合することにより、駆動手段５３側の駆動力が駆動プーリ５１に伝達されるようになっている。なお、駆動シャフト７２は、駆動プーリ５１の回転軸６６の直上よりも左右方向一方側（ここでは右側）に変位した位置に配置されている。
【００２９】
駆動シャフト７２は、図１０〜図１２等に示すように、その先端側の所定範囲が、周方向の一部に欠損部７３を有することにより断面非円形（ここでは断面Ｄ型）に形成された非円形軸部７２ａとなっており、その非円形軸部７２ａよりも基部側が、欠損部を有しない断面円形の円形軸部７２ｂとなっている。
【００３０】
駆動ギヤ６８は、図１０，図１１等に示すように、平歯車で構成されるギヤ本体７５と、そのギヤ本体７５の中心部に設けられた軸固定部７６とを一体に備え、その軸固定部７６に、駆動シャフト７２が嵌入されるシャフト挿入部７７が形成されている。軸固定部７６は、挿入端側が開放し、他端側が端部壁７８により略閉鎖された有底筒状に形成されており、端部壁７８には例えばシャフト挿入部７７よりも小径の通孔７９が軸方向貫通状に形成されている。
【００３１】
シャフト挿入部７７は、図１０〜図１２等に示すように、駆動シャフト７２側の非円形軸部７２ａに対応する非円形挿入部７７ａと、同じく円形軸部７２ｂに対応する円形挿入部７７ｂとで構成されている。非円形挿入部７７ａは、軸固定部７６の奥側（端部壁７８側）の第２筒状部７６ａに設けられており、駆動シャフト７２側の欠損部７３に係合する係合部８０を有する断面非円形（ここでは断面Ｄ型）に形成されている。また円形挿入部７７ｂは、シャフト挿入部７７の挿入端側の第１筒状部７６ｂに設けられており、係合部８０に対応する部分のない断面円形に形成されている。なおギヤ本体７５は、軸固定部７６の第２筒状部７６ａにおける軸方向所定位置に配置されている。
【００３２】
また軸固定部７６は、ギヤ本体７５の固定部分を除く外周形状が、非円形挿入部７７ａに対応する第２筒状部７６ａと円形挿入部７７ｂに対応する第１筒状部７６ｂとに拘わらず、非円形挿入部７７ａの断面形状（略Ｄ型）に対応する断面非円形に形成されている。
【００３３】
シャフト挿入部７７に挿入された駆動シャフト７２は、図１１に示すように、その先端側の非円形軸部７２ａが非円形挿入部７７ａに嵌合し、非円形軸部７２ａ側の欠損部７３に非円形挿入部７７ａ側の係合部８０が係合するため、その回転運動を滑りなく駆動ギヤ６８に伝達することができる。また、非円形挿入部７７ａに対応する第２筒状部７６ａの挿入端側に、円形挿入部７７ｂに対応する第１筒状部７６ｂが一体に突設されているため、非円形挿入部７７ａにおける円形部と非円形部との境界部分への応力集中を緩和することができ、シャフト挿入部７７に生じるひび割れ等の損傷を効果的に防止できる。
【００３４】
また、駆動プーリ５１の近傍にはベルト規制手段５８が配置されている。このベルト規制手段５８は、図４〜図８等に示すように、駆動プーリ５１の回転軸６６と平行な前後方向の軸廻りに回転可能な車輪状に形成され、例えば上部前面板６１ａの背面側にねじ止め等により着脱自在に装着されている。このベルト規制手段５８は、ベルト巻き掛け部６７に対するギヤベルト５４の巻き掛け範囲内でギヤベルト５４の外周側に近接（又は当接）している。なお、ベルト規制手段５８の半径は、駆動プーリ５１に対するギヤベルト５４の巻き掛け範囲における外周側半径よりも小さくなっている。
【００３５】
また、ギヤベルト５４の外周側とベルト規制手段５８との隙間Ｔは、図１３（ａ）に示すようにベルト巻き掛け部６７側の係合歯６７ａに対するギヤベルト５４側の被係合歯５４ａの噛合深さｔよりも小さくなっている。これにより、ベルト規制手段５８がギヤベルト５４のベルト巻き掛け部６７に対する半径方向への移動を規制し、ベルト巻き掛け部６７側の係合歯６７ａとギヤベルト５４側の被係合歯５４ａとの噛合状態が維持されるため（図１３（ｂ））、駆動手段５３への負荷を増大させることなく、駆動プーリ５１に対するギヤベルト５４の滑り（いわゆるギヤとび）を効果的に防止できる。
【００３６】
中間前面板６１ｃの前側には、図３，図４，図６等に示すようにギヤベルト５４、昇降ガイド部５７ａ，５７ｂが上下方向に配置されている。上部前面板６１ａの後側で駆動プーリ５１に巻き掛けられたギヤベルト５４は、隙間６３を介して中間前面板６１ｃの前側に引き出され、下端側が従動プーリ５２に巻き掛けられる。ギヤベルト５４には、図４等に示すように、駆動プーリ５１と従動プーリ５２との間の一対の昇降部５０ａ，５０ｂのうち、内側（装着窓３８側）の昇降部５０ａに対して駆動連結体４５が着脱自在に固定されている。
【００３７】
昇降ガイド部５７ａ，５７ｂは、例えば上下方向の細長円柱状で、互いに前後左右にずれた位置に配置されており、駆動連結体４５側の第１摺動部８１が昇降ガイド部５７ａに、第２摺動部８２が昇降ガイド部５７ｂに夫々上下方向摺動自在に支持されている。
【００３８】
昇降ガイド部５７ａは、例えば左右方向の内側（装着窓３８側）に配置されており、その上端側を支持する上端支持部８３ａが例えば上部前面板６１ａの背面側に、同じく下端側を支持する下端支持部８３ｂが例えば底壁６４に夫々設けられている（図８，図９）。また、昇降ガイド部５７ｂは、昇降ガイド部５７ａよりも後側で左右方向の外側（装着窓３８と反対側）に配置されており、その上端側を支持する上端支持部８４ａが例えば中間前面板６１ｃの上部前側に、同じく下端側を支持する下端支持部８４ｂが例えば中間前面板６１ｃの下部前側に夫々設けられている（図８，図９）。
【００３９】
従動プーリ５２は、前後方向の回転軸８５廻りに回転可能な状態で例えば中間前面板６１ｃの下部前側に配置されており、図４，図６，図７，図９等に示すように、ギヤベルト５４が巻き掛けられるベルト巻き掛け部８６と、そのベルト巻き掛け部８６よりも大径に形成され且つベルト巻き掛け部８６の軸方向両側に配置される一対のガイド板８７ａ，８７ｂとを備えている。
【００４０】
なお本実施形態の場合、ギヤベルト５４に対して従動プーリ５２が滑っても問題ないため、従動プーリ５２のベルト巻き掛け部８６には、ギヤベルト５４側の被係合歯５４ａに対応する係合歯を設ける必要はない。従って従動プーリ５２側には、駆動プーリ５１側に設けたようなベルト規制手段を設ける必要もない。
【００４１】
従動プーリ５２の回転軸８５は、図６，図９等に示すように、中間前面板６１ｃの下部側に設けられた上下方向の長孔８８内に挿通され、その前後両端側を中間前面板６１ｃの前後両側でスライド支持手段５５により上下方向移動可能に支持されている。
【００４２】
スライド支持手段５５は、回転軸８５の前端側を支持する前支持部９１ａと、回転軸８５の後端側を支持する後支持部９１ｂと、長孔８８の下側に上下方向に配置された案内レール９２に摺動自在に装着される摺動部９３と、前支持部９１ａ，後支持部９１ｂと摺動部９３とを夫々連結する前後の連結部９４ａ，９４ｂとを備えている。
【００４３】
案内レール９２は、例えば断面十字状に形成され、図４，図６，図９等に示すように長孔８８の下側に配置された略水平な底壁６４から下向きに突設されている。摺動部９３にはガイド孔９５が形成されており、そのガイド孔９５に案内レール９２が下向きに貫通している。摺動部９３は、例えば前連結部９４ａに一体に設けられた前摺動部９３ａと、後連結部９４ｂに一体に設けられた後摺動部９３ｂとを備え、それらを前後に結合することによりガイド孔９５が形成されている。
【００４４】
従動プーリ５２は、例えば回転軸８５を支持する後支持部９１ｂが長孔８８に沿って上下方向に案内され、またスライド支持手段５５が案内レール９２に沿って上下方向に案内されることにより、上側の第１位置と下側の第２位置との間でスライド移動可能となっており、第１位置ではギヤベルト５４が緩んで例えば駆動プーリ５１への着脱が可能であり、第２位置ではギヤベルトが適度に張った状態となる。
【００４５】
スペーサ（プーリ規制手段）５６は、従動プーリ（所定プーリ）５２をギヤベルト５４が張った状態の第２位置に保持するためのもので、案内レール９２に対して例えば横側から着脱可能であり、図４，図６等に示すように従動プーリ５２が第２位置にある状態で案内レール９２に装着することにより、下端側が例えばスライド支持手段５５の摺動部９３に、上端側が例えば底壁６４に夫々略当接してそれらの間隔を保持するようになっている。
【００４６】
以上のような構成を有する可動演出手段２６の組み立て段階において、昇降駆動手段４２にギヤベルト５４を装着する際には、まずギヤベルト５４を従動プーリ５２に巻き掛けた状態でスライド支持手段５５を組み立てる。そして、ギヤベルト５４の上部側を、予め組み立てた駆動プーリ５１に巻き掛ける。このとき、スライド支持手段５５側にはスペーサ５６は未だ装着されていないため、従動プーリ５２はベルト緩み側（上側）に移動可能であり、ギヤベルト５４を駆動プーリ５１に容易に巻き掛けることができる。
【００４７】
その後、例えば従動プーリ５２を第２位置まで押し下げてギヤベルト５４が張った状態で、スライド支持手段５５の摺動部９３と底壁６４との間にスペーサ５６を装着する。これにより、スライド支持手段５５のベルト緩み側（上側）への移動が規制され、従動プーリ５２はギヤベルト５４が張った状態の第２位置で固定される。
【００４８】
また、駆動プーリ５１にギヤベルト５４を巻き掛けた後、スペーサ５６の装着前又は装着後にベルト規制手段５８を装着する。このベルト規制手段５８は、駆動プーリ５１のベルト巻き掛け部６７に対するギヤベルト５４の巻き掛け範囲内でギヤベルト５４の外周側に近接（又は当接）しており、そのベルト規制手段５８と、ギヤベルト５４の外周側との隙間Ｔは、ベルト巻き掛け部６７側の係合歯６７ａに対するギヤベルト５４側の被係合歯５４ａの噛合深さｔよりも小さくなっているため、駆動プーリ５１に対するギヤベルト５４の滑り（いわゆるギヤとび）を効果的に防止できる（図１３）。
【００４９】
図１４は本発明の第２の実施形態を例示し、第１の実施形態を一部変更して、ベルト規制手段を固定的に配置した例を示している。本実施形態のベルト規制手段５８′は、駆動プーリ５１の近傍に配置され、例えば上部前面板６１ａの背面側に固定されている。ベルト規制手段５８′は例えば合成樹脂製で、その一端側に、駆動プーリ５１のベルト巻き掛け部６７に対するギヤベルト５４の巻き掛け範囲内でギヤベルト５４の外周側に近接（又は当接）する規制面９６を備えている。この規制面９６は、ギヤベルト５４の外周側に沿う軸方向視円弧状に形成されており、ギヤベルト５４の外周側との隙間は、ベルト巻き掛け部６７側の係合歯６７ａに対するギヤベルト５４側の被係合歯５４ａの噛合深さよりも小さくなっている。
【００５０】
このように、ベルト規制手段は回転可能な車輪状に限られるものではなく、固定的に配置してもよい。この場合、規制面９６を広い範囲でギヤベルト５４の外周側に近接（又は当接）させることができるという利点がある。
【００５１】
図１５は本発明の第３の実施形態を例示し、第１の実施形態を一部変更して、ベルト規制手段５８の半径を、駆動プーリ５１に対するギヤベルト５４の巻き掛け範囲における外周側半径よりも大きくした例を示している。
【００５２】
このように、車輪状に形成したベルト規制手段５８の半径を、配置スペースの許す限り、駆動プーリ５１に対するギヤベルト５４の巻き掛け範囲における外周側半径よりも大きくすることで、ベルト規制手段５８とギヤベルト５４との実質的な近接範囲が広くなり、ギヤベルト５４の半径方向への移動をより確実に規制することが可能である。
【００５３】
図１６，図１７は本発明の第４の実施形態を例示し、第１の実施形態を一部変更して、軸固定部７６の外周形状を、非円形挿入部７７ａに対応する第２筒状部７６ａと円形挿入部７７ｂに対応する第１筒状部７６ｂとに拘わらず断面円形とした例を示している。
【００５４】
また図１８，図１９は本発明の第５の実施形態を例示し、第１の実施形態を一部変更して、軸固定部７６の外周形状を、非円形挿入部７７ａに対応する第２筒状部７６ａと円形挿入部７７ｂに対応する第１筒状部７６ｂとで異ならせた例を示している。本実施形態では、第２筒状部７６ａの外周形状を非円形挿入部７７ａの断面形状（略Ｄ型）に対応する断面非円形とし、第１筒状部７６ｂの外周形状を円形挿入部７７ｂの断面形状に対応する断面円形としている。
【００５５】
また図２０は本発明の第６の実施形態を例示し、第１の実施形態を一部変更して、駆動シャフト７２の非円形軸部７２ａを、非円形挿入部７７ａと円形挿入部７７ｂとの両方に対応させた例を示している。このように、非円形挿入部７７ａだけでなく円形挿入部７７ｂについても、駆動シャフト７２側の非円形軸部７２ａを対応させてもよい。
【００５６】
以上、本発明の実施形態について詳述したが、本発明はこれらの実施形態に限定されるものではなく、本発明の趣旨を逸脱しない範囲で種々の変更が可能である。例えば、実施形態では駆動プーリ５１と従動プーリ５２とを上下に配置すると共にその駆動プーリ５１側にベルト規制手段５８，５８′を配置した例を示したが、駆動プーリ５１と従動プーリ５２の配置は任意であり、例えば駆動プーリ５１を従動プーリ５２の下側に配置して駆動プーリ５１側にベルト規制手段５８，５８′を配置してもよい。
【００５７】
また、例えば可動体を従動プーリに連動させる場合など、ギヤベルトに対する従動プーリの滑りが許されない場合には、駆動プーリ側だけでなく従動プーリ側にもベルト規制手段５８，５８′を設けることが望ましい。また一つのプーリに対して複数のベルト規制手段を設けてもよい。
【００５８】
従動プーリ５２を張緩方向のベルト張り側に弾性付勢することによりギヤベルト５４に適度な張力を付与するようにしてもよい。また、一つのギヤベルト５４に対して複数の従動プーリを配置してもよい。
【００５９】
実施形態では、非円形挿入部７７ａと円形挿入部７７ｂとを共にギヤ本体７５から突出する筒状部に設けたが、例えば非円形挿入部７７ａをギヤ本体７５の幅内に設け、円形挿入部７７ｂをギヤ本体７５から突出する筒状部に設けてもよい。
【００６０】
シャフト側の非円形軸部７２ａの断面形状は実施形態に示した略Ｄ型に限られるものではなく、欠損部を有する非円形の断面形状であればよい。
【００６１】
また本発明は、パチンコ機に限らず、アレンジボール機、雀球遊技機、スロットマシン等の各種の遊技機においても同様に実施することが可能である。
【符号の説明】
【００６２】
５１    駆動プーリ
５２    従動プーリ
５４    ギヤベルト
５６    スペーサ（プーリ規制手段）
５８    ベルト規制手段
５８′  ベルト規制手段
６６    回転軸
【図１】
2018042599.tif 000003
【図２】
2018042599.tif 000004
【図３】
2018042599.tif 000005
【図４】
2018042599.tif 000006
【図５】
2018042599.tif 000007
【図６】
2018042599.tif 000008
【図７】
2018042599.tif 000009
【図８】
2018042599.tif 000010
【図９】
2018042599.tif 000011
【図１０】
2018042599.tif 000012
【図１１】
2018042599.tif 000013
【図１２】
2018042599.tif 000014
【図１３】
2018042599.tif 000015
【図１４】
2018042599.tif 000016
【図１５】
2018042599.tif 000017
【図１６】
2018042599.tif 000018
【図１７】
2018042599.tif 000019
【図１８】
2018042599.tif 000020
【図１９】
2018042599.tif 000021
【図２０】
2018042599.tif 000022